(57)【要約】【課題】印刷処理のパフォーマンスをさらに向上させる。【解決手段】ＲＡＭ（記憶デバイス）により、印刷データを記憶し、画像処理部１１８により、印刷データに対して画像処理を行い、プリンター部１０２により、画像処理による処理データに基づき、用紙に画像を形成し、システム制御部１２１により、パネル部を介して印刷データが選択されると、画像処理部１１８に対して選択された印刷データに対する画像処理を指示し、パネル部を介して印刷開始が指示されると、プリンター部１０２に対して画像の形成を指示する。これにより、パネル部を介して印刷データが選択された時点で画像処理部１１８による印刷データに対する画像処理が実行され、パネル部を介して印刷開始が指示された時点でプリンター部１０２による画像の形成が実行される。【選択図】図２
2019084729.tif 000002
【特許請求の範囲】
【請求項１】
パネル部と、
印刷データを記憶する記憶デバイスと、
前記印刷データに対して画像処理を行う画像処理部と、
前記画像処理による処理データに基づき、用紙に画像を形成するプリンター部と、
前記パネル部を介して前記印刷データが選択されると、前記画像処理部に対して選択された前記印刷データに対する画像処理を指示し、前記パネル部を介して印刷開始が指示されると、前記プリンター部に対して前記画像の形成を指示するシステム制御部とを備える
ことを特徴とする画像形成装置。
【請求項２】
前記システム制御部は、前記パネル部を介して前記印刷データが選択された後、前記印刷データの選択が解除されると、前記画像処理部に対し、先に選択された前記印刷データに対する前記処理データの破棄を指示することを特徴とする請求項１に記載の画像形成装置。
【請求項３】
前記システム制御部は、前記パネル部を介して前記印刷データが選択された後、印刷設定が変更されると、前記画像処理部に対し、先に選択された前記印刷データに対する前記処理データの破棄を指示し、前記変更された印刷設定に基づく前記印刷データに対する画像処理を指示することを特徴とする請求項１又は２に記載の画像形成装置。
【請求項４】
記憶デバイスにより、印刷データを記憶する工程と、
画像処理部により、前記印刷データに対して画像処理を行う工程と、
プリンター部により、前記画像処理による処理データに基づき、用紙に画像を形成する工程と、
システム制御部により、パネル部を介して前記印刷データが選択されると、前記画像処理部に対して選択された前記印刷データに対する画像処理を指示し、前記パネル部を介して印刷開始が指示されると、前記プリンター部に対して前記画像の形成を指示する工程とを、画像形成装置を制御するコンピューターに実行させる
ことを特徴とする画像形成プログラム。
【発明の詳細な説明】
【技術分野】
【０００１】
本発明は、印刷処理に適した画像形成装置及び画像形成プログラムに関する。
【背景技術】
【０００２】
たとえば、複合機等のＭＦＰ(Multifunction Peripheral)である画像形成装置においては、印刷機能、コピー機能、ＦＡＸ機能、ネットワーク経由でのデータ送受信機能等を搭載している機種がある。また、画像形成装置においては、ＬＡＮ(Local Area Network)等のネットワークを介して接続されるユーザー端末からの印刷ジョブを受け取り、ＨＤＤ(Hard Disk Drive)等の記憶デバイスに登録するボックス印刷機能を搭載している機種もある。なお、記憶デバイスに登録された印刷ジョブに対する印刷は、画像形成装置のパネル部でのユーザー認証の処理後に実行できる。
【０００３】
このようなボックス印刷に関するものとして、特許文献１では、取得手段により、印刷ジョブに対するＲＩＰ処理（ラスタライズ処理）を実行するプリントコントローラーから、ＲＩＰ処理により生成されたラスターデータを取得し、記憶手段により、取得したラスターデータを記憶し、受付手段により、ユーザーによる指定を受け付け、判断要求手段により、記憶手段に記憶された少なくとも一つのラスターデータのうち、受付手段を介してユーザーにより指定されたラスターデータについて、再ＲＩＰ処理が必要であるか否かの判断をプリントコントローラーに要求し、又は／及び、記憶手段に記憶された前記少なくとも一つのラスターデータについて、受付手段を介してユーザーにより指定されたタイミングで、再ＲＩＰ処理が必要であるか否かの判断をプリントコントローラーに要求し、実行要求手段により、プリントコントローラーによる、再ＲＩＰ処理が必要であるか否かの判断の結果に基づいて、プリントコントローラーに再ＲＩＰ処理の実行を要求する画像形成装置を提案している。
【先行技術文献】
【特許文献】
【０００４】
【特許文献１】特開２０１５−１３４４２２号公報
【発明の概要】
【発明が解決しようとする課題】
【０００５】
上述した特許文献１での画像形成装置では、プリントコントローラーによる、再ＲＩＰ処理が必要であるか否かの判断の結果に基づいて、プリントコントローラーに再ＲＩＰ処理の実行を要求するので、ユーザーの意図しないタイミングでラスターデータの全てについて再ＲＩＰ処理が実行されることを抑制でき、画像形成システムのスループットの低下を最小限に抑えつつ、再ＲＩＰ処理を実行することができる。
【０００６】
ところで、画像形成装置でのボックス印刷の場合、ユーザーがパネル部を介してのユーザー認証を経た後、パネル部での印刷データを選択する。この場合、必要に応じて印刷枚数、印刷濃度、フォント等の各種印刷設定を変更した後、スタートボタンを押下することで、画像処理（ラスタライズ）された処理データに基づき印刷が開始される。なお、印刷データに対する画像処理（ラスタライズ）は、スタートボタンが押下されてから開始される。
【０００７】
このため、引用文献１の画像形成装置でのプリントコントローラーに対する再ＲＩＰ処理の実行の要求は、スタートボタンが押下されたときに行われることになる。この場合、スタートボタンが押下されても、用紙への印刷が直ちに実行されないことから、印刷処理のパフォーマンスをさらに向上させることができない。
【０００８】
本発明は、このような状況に鑑みてなされたものであり、上記問題点を解消することができる画像形成装置及び画像形成プログラムを提供することを目的とする。
【課題を解決するための手段】
【０００９】
本発明の画像形成装置は、パネル部と、印刷データを記憶する記憶デバイスと、前記印刷データに対して画像処理を行う画像処理部と、前記画像処理による処理データに基づき、用紙に画像を形成するプリンター部と、前記パネル部を介して前記印刷データが選択されると、前記画像処理部に対して選択された前記印刷データに対する画像処理を指示し、前記パネル部を介して印刷開始が指示されると、前記プリンター部に対して前記画像の形成を指示するシステム制御部とを備えることを特徴とする。
また、前記システム制御部は、前記パネル部を介して前記印刷データが選択された後、前記印刷データの選択が解除されると、前記画像処理部に対し、先に選択された前記印刷データに対する前記処理データの破棄を指示することを特徴とする。
また、前記システム制御部は、前記パネル部を介して前記印刷データが選択された後、印刷設定が変更されると、前記画像処理部に対し、先に選択された前記印刷データに対する前記処理データの破棄を指示し、前記変更された印刷設定に基づく前記印刷データに対する画像処理を指示することを特徴とする。
本発明の画像形成プログラムは、記憶デバイスにより、印刷データを記憶する工程と、画像処理部により、前記印刷データに対して画像処理を行う工程と、プリンター部により、前記画像処理による処理データに基づき、用紙に画像を形成する工程と、システム制御部により、パネル部を介して前記印刷データが選択されると、前記画像処理部に対して選択された前記印刷データに対する画像処理を指示し、前記パネル部を介して印刷開始が指示されると、前記プリンター部に対して前記画像の形成を指示する工程とを、画像形成装置を制御するコンピューターに実行させることを特徴とする。
本発明の画像形成装置及び画像形成プログラムでは、記憶デバイスにより、印刷データを記憶し、画像処理部により、印刷データに対して画像処理を行い、プリンター部により、画像処理による処理データに基づき、用紙に画像を形成し、システム制御部により、パネル部を介して印刷データが選択されると、画像処理部に対して選択された印刷データに対する画像処理を指示し、パネル部を介して印刷開始が指示されると、プリンター部に対して画像の形成を指示する。
これにより、パネル部を介して印刷データが選択された時点で画像処理部による印刷データに対する画像処理が実行され、パネル部を介して印刷開始が指示された時点でプリンター部による画像の形成が実行される。
【発明の効果】
【００１０】
本発明の画像形成装置及び画像形成プログラムによれば、パネル部を介して印刷データが選択された時点で画像処理部による印刷データに対する画像処理が実行されるので、パネル部を介して印刷開始が指示された時点でプリンター部による画像の形成が実行されるので、印刷処理のパフォーマンスをさらに向上させることができる。
【図面の簡単な説明】
【００１１】
【図１】本発明の画像形成装置をＭＦＰに適用した場合の一実施形態を示す図である。
【図２】図１のＭＦＰによる画像処理について説明するためのフローチャートである。
【図３】従来のＭＦＰによる画像処理について説明するためのフローチャートである。
【発明を実施するための形態】
【００１２】
以下、本発明の画像形成装置の一実施形態を、図１〜図３を参照しながら説明する。なお、以下の説明においての画像形成装置の一例としては、たとえば印刷機能、コピー機能、ＦＡＸ機能、ネットワーク経由でのデータ送受信機能等を搭載した複合的な周辺機器であるＭＦＰ(Multifunction Peripheral)であるものとする。
【００１３】
まず、図１に示すように、ＭＦＰ１００は、スキャナー部１０１、プリンター部１０２、ＦＡＸ(Facsimile)部１０３、Ｉ／Ｆ（インターフェース）１０４、パネル部１０５及びＨＤＤ１０６の動作を制御する制御部１１０を備えている。
【００１４】
スキャナー部１０１は、イメージセンサ（図示省略）によって読み取られる図示しない原稿の画像をデジタルの画像データに変換し、制御部１１０に入力するデバイスである。プリンター部１０２は、制御部１１０から出力される画像処理（ラスタライズ）された処理データに基づき、図示しない用紙上に画像を印刷するデバイスである。ＦＡＸ部１０３は、制御部１１０から出力されるデータを、電話回線を通じ相手方となるファクシミリへと送信し、また、相手方ファクシミリからのデータを受信して制御部１１０に入力するデバイスである。
【００１５】
Ｉ／Ｆ１０４は、図示しないネットワークを介し、図示しない情報提供サーバー等に接続されている。なお、Ｉ／Ｆ１０４は、他の図示しないＭＦＰやユーザー端末等との通信を受け持ってもよいし、図示しないコンテンツサーバーやウェブサーバー等との通信を受け持ってもよい。パネル部１０５は、ＭＦＰ１００の印刷機能、コピー機能、ＦＡＸ機能、ネットワーク経由でのデータ送受信機能や、各種設定(印刷設定等を含む)のための表示を行うタッチパネル等のデバイスである。また、パネル部１０５は、印刷、コピー、ＦＡＸ、データ送受信の開始を示すスタートボタンを表示する。なお、スタートボタンは、パネル部１０５と分離させて設けてもよい。ＨＤＤ１０６は、ＭＦＰ１００の種々の機能を提供するためのアプリケーションプログラム等を記憶している記憶デバイスである。また、ＨＤＤ１０６は、たとえばユーザー端末側から登録された印刷ジョブ及びページ記述言語による印刷対応データ等を記憶するユーザーボックスを有している。
【００１６】
制御部１１０は、認証プログラム等のアプリケーションプログラム、画像形成プログラム、及び制御プログラム等を実行してＭＦＰ１００全体の動作を制御するプロセッサーである。制御部１１０は、スキャナー制御部１１１、プリンター制御部１１２、ＦＡＸ制御部１１３、通信制御部１１４、ＲＡＭ(Random Access Memory)１１５、ＥＥＰＲＯＭ(electrically erasable and programmable read-only memory)１１６、ユーザー認証部１１７、画像処理部１１８、パネル操作制御部１１９、ＨＤＤ制御部１２０、システム制御部１２１を備えている。また、これらは、データバス１２２に接続されている。
【００１７】
スキャナー制御部１１１は、スキャナー部１０１の読み取り動作を制御する。プリンター制御部１１２は、プリンター部１０２の印刷動作を制御する。ＦＡＸ制御部１１３は、ＦＡＸ部１０３によるデータの送受信動作を制御する。通信制御部１１４は、Ｉ／Ｆ１０４を介し、ネットワーク経由でのデータ等の送受信の制御を行う。
【００１８】
ＲＡＭ１１５は、プログラムを実行するためのワークメモリーである。また、ＲＡＭ１１５は、画像処理部１１８によって画像処理（ラスタライズ）された処理データを記憶する。ＥＥＰＲＯＭ１１６には、各部の動作チェック等を行う制御プログラムが記憶されている。また、ＥＥＰＲＯＭ１１６には、スキャナー部１０１、プリンター部１０２、ＦＡＸ部１０３、Ｉ／Ｆ（インターフェース）１０４、パネル部１０５及びＨＤＤ１０６等を動作させるためのファームウェア等が記憶されている。
【００１９】
ユーザー認証部１１７は、たとえば図示しないユーザー端末からの印刷ジョブをＨＤＤ１０６に登録する際、又はパネル部１０５を介してのログイン処理を受け付ける際、ユーザーＩＤ(IDentification)等のユーザー認証情報に基づいたユーザー認証を行う。なお、ユーザー認証部１１７は、ユーザー認証を行う際、既にＨＤＤ１０６等に登録されているユーザー認証情報と、ユーザー端末から送信されたユーザー認証情報、又はパネル部１０５を介して入力されたユーザー認証情報とが一致しているかどうかを確認する。画像処理部１１８は、たとえばＨＤＤ１０６のユーザーボックスに登録されている印刷データに対する画像処理（ラスタライズ）を行う。また、画像処理部１１８は、スキャナー部１０１によって読み取られた画像データに対する画像処理（ラスタライズ）を行う。また、画像処理部１１８は、画像処理（ラスタライズ）した処理データを、一旦、ＲＡＭ１１５に記憶させる。
【００２０】
パネル操作制御部１１９は、パネル部１０５の表示動作を制御する。また、パネル操作制御部１１９は、パネル部１０５を介し、ログイン処理でのユーザー認証情報の入力を受け付ける。また、パネル操作制御部１１９は、パネル部１０５を介し、印刷、コピー、ＦＡＸ、ネットワーク経由でのデータ送受信等の開始を受け付ける。また、パネル操作制御部１１９は、パネル部１０５を介し、たとえばＨＤＤ１０６のユーザーボックスに登録されている印刷データの選択や、印刷設定等を受け付ける。ここで、パネル操作制御部１１９は、パネル部１０５を介し、印刷データを選択するための選択画面を印刷データのリストとして表示させてもよい。また、パネル操作制御部１１９は、パネル部１０５を介し、印刷設定項目と設定内容を変更するための設定画面を表示させてもよい。
【００２１】
システム制御部１２１は、各部の連携動作等を制御する。また、システム制御部１２１は、パネル部１０５を介してコピーや印刷等が選択されると、スキャナー制御部１１１やプリンター制御部１１２を介し、スキャナー部１０１による原稿の読み取りやプリンター部１０２による用紙への印刷を制御する。また、システム制御部１２１は、パネル操作制御部１１９がパネル部１０５を介し、たとえばＨＤＤ１０６のユーザーボックスに登録されている印刷データの選択を受け付けると、画像処理部１１８に対し、選択された印刷データに対する画像処理（ラスタライズ）を指示する。また、システム制御部１２１は、パネル操作制御部１１９がパネル部１０５を介し、スタートボタンの押下（タッチ操作）に伴うたとえば印刷開始を受け付けると、プリンター部１０２に対し、印刷処理を指示する。
【００２２】
次に、図２を参照し、ＭＦＰ１００による画像処理の一例について説明する。なお、図２は、本実施形態でのＭＦＰ１００による画像処理を示している。また、以下の画像処理は、ＨＤＤ１０６のユーザーボックスに登録されている印刷データに対するものとして説明する。また、以下では、ユーザー認証部１１７によるユーザー認証が済んでいる場合で説明する。
【００２３】
（ステップＳ１０１、Ｓ１０２）
システム制御部１２１は、印刷データが選択されると、画像処理部１１８に対して選択された印刷データを通知する。この場合、システム制御部１２１は、パネル操作制御部１１９からのパネル部１０５を介して印刷データの選択を受け付けたことを示す通知を受け取ると、画像処理部１１８に対し選択された印刷データを通知する。なお、この通知には、印刷データに対する画像処理の指示が含まれる。また、システム制御部１２１は、選択された印刷データをＨＤＤ１０６から読み出してＲＡＭ１１５に記憶させる。また、パネル制御部１１９は、選択画面の印刷データのリストのうち、いずれかの印刷データが指定される（例えば、リスト上のいずれかの印刷データが反転表示される。）と、印刷データの選択を受け付けるものとする。
【００２４】
（ステップＳ１０３）
画像処理部１１８は、印刷データに対する画像処理（ラスタライズ）を行う。
この場合、画像処理部１１８は、画像処理（ラスタライズ）した処理データを、ＲＡＭ１１５に記憶させる。
【００２５】
（ステップＳ１０４、Ｓ１０５）
システム制御部１２１は、印刷データ選択解除があると、画像処理部１１８に対して印刷データ選択解除通知を出す。この場合、システム制御部１２１は、パネル操作制御部１１９からのパネル部１０５を介して一旦選択した印刷データの選択解除を受け付けたことを示す通知を受け取ると、画像処理部１１８に対して印刷データの選択が解除されたことを示す印刷データ選択解除を通知する。ここで、パネル制御部１１９は、選択画面の印刷データのリスト上で指定されている印刷データの指定が外される（例えば、リスト上の指定されている印刷データが反転表示から通常表示に戻される。）と、印刷データの選択解除を受け付けるものとする。
なお、システム制御部１２１は、ステップＳ１０４で印刷データ選択解除を受け取った場合、ステップＳ１０１にて印刷データの選択を待つ。
【００２６】
（ステップＳ１０６）
画像処理部１１８は、先行処理での画像処理（ラスタライズ）の結果である処理データを破棄する。
この場合、画像処理部１１８は、ＲＡＭ１１５に記憶させた先行処理での印刷データに対する処理データを破棄する。
【００２７】
（ステップＳ１０７、Ｓ１０８）
システム制御部１２１は、印刷設定変更があると、画像処理部１１８に対して印刷設定変更通知を出す。すなわち、システム制御部１２１は、パネル操作制御部１１９からのパネル部１０５を介し、ステップＳ１０１にて選択した印刷データに対する印刷設定変更を受け付けたことを示す通知を受け取ると、画像処理部１１８に対して印刷データの印刷設定変更を通知する。なお、印刷設定には、たとえば印刷枚数、印刷濃度、フォント等の各種印刷設定があり、いずれかの内容を任意に変更できる。また、パネル制御部１１９は、設定画面上のいずれかの設定項目の設定内容が変更されると、印刷設定の変更を受け付けるものとする。
【００２８】
（ステップＳ１０９、Ｓ１１０）
画像処理部１１８は、先行処理での画像処理（ラスタライズ）の結果である処理データを破棄する。
この場合、画像処理部１１８は、ＲＡＭ１１５に記憶させた先行処理での印刷データに対する処理データを破棄する。
また、画像処理部１１８は、ステップＳ１０８での印刷設定変更の内容に基づき、ステップＳ１０１で選択された印刷データに対して画像処理（ラスタライズ）し、画像処理した処理データをＲＡＭ１１５に記憶させる。
【００２９】
（ステップＳ１１１、Ｓ１１２）
システム制御部１２１は、スタートボタン押下（タッチ操作）に伴い、プリンター部１０２に対し、印刷開始通知を出す。
この場合、システム制御部１２１は、パネル操作制御部１１９からのパネル部１０５を介してスタートボタンの押下（タッチ操作）に伴う印刷開始を受け付けたことを示す通知を受け取ると、プリンター部１０２に対し、印刷開始通知を出す。
ここで、システム制御部１２１は、ステップＳ１０４での印刷データ選択解除や、ステップＳ１０７での印刷設定変更が無ければ、プリンター部１０２に対し、ステップＳ１０１で選択された印刷データに対する処理データに基づくデフォルト設定での印刷開始を指示する。
一方、システム制御部１２１は、ステップＳ１０４で印刷データ選択解除を受けた場合、プリンター部１０２に対し、ステップＳ１０１で新たに選択された印刷データに対する処理データに基づく印刷開始を指示する。また、システム制御部１２１は、ステップＳ１０７で印刷設定変更が有れば、プリンター部１０２に対し、ステップＳ１０７で印刷設定変更された印刷データに対する処理データに基づく印刷開始を指示する。
【００３０】
（ステップＳ１１３）
プリンター部１０２は、印刷処理を実行する。
この場合、プリンター部１０２は、ＲＡＭ１１５に記憶されている画像処理（ラスタライズ）された処理データに基づき、図示しない用紙に画像を形成する。
【００３１】
以上のように、本実施形態でのＭＦＰ１００による画像処理では、ステップＳ１０１での印刷データの選択が行われると、画像処理部１１８によるステップＳ１０３での画像処理（ラスタライズ）が行われる。また、ステップＳ１０４での印刷データ選択解除が行われると、画像処理部１１８によるステップＳ１０６での画像処理の結果である処理データの破棄が行われ、次に選択される印刷データに対する画像処理が行われる。また、ステップＳ１０７で印刷設定変更が行われると、画像処理部１１８によるステップＳ１０９での画像処理の結果である処理データの破棄が行われ、ステップＳ１１０での印刷設定変更された印刷データに対する画像処理が行われる。そして、ステップＳ１１１でスタートボタンの押下（タッチ操作）に伴う印刷開始を受け付けると、ステップＳ１１３でプリンター部１０２による用紙への画像の形成が行われる。すなわち、印刷データが選択されると直ちに画像処理部１１８による画像処理が実行され、スタートボタンの押下（タッチ操作）に伴う印刷開始を受け付けると、プリンター部１０２による用紙への画像の形成が直ちに行われる。
【００３２】
次に、図３を参照し、ＭＦＰ１００による従来の画像処理について説明する。なお、以下では、上記同様に、ＨＤＤ１０６のユーザーボックスに登録されている印刷データに対する画像処理の場合で説明する。また、以下では、ユーザー認証部１１７によるユーザー認証が済んでいる場合で説明する。
【００３３】
（ステップＳ２０１）
システム制御部１２１は、印刷データが選択されると、選択された印刷データをＨＤＤ１０６から読み出す。
この場合、システム制御部１２１は、パネル操作制御部１１９からのパネル部１０５を介して印刷データの選択を受け付けたことを示す通知を受け取ると、選択された印刷データをＨＤＤ１０６から読み出してＲＡＭ１１５に記憶させる。
【００３４】
（ステップＳ２０２）
システム制御部１２１は、印刷データ選択解除があると、ＲＡＭ１１５に記憶させた印刷データを破棄する。
【００３５】
（ステップＳ２０３）
システム制御部１２１は、印刷設定変更があると、印刷設定の変更内容を保持する。
なお、印刷設定には、上記のように、たとえば印刷枚数、印刷濃度、フォント等の各種印刷設定があり、いずれかの内容を任意に変更できる。
【００３６】
（ステップＳ２０４、Ｓ２０５、Ｓ２０６）
システム制御部１２１は、スタートボタンが押下（タッチ操作）されると、画像処理部１１８、及びプリンター部１０２に対し、印刷開始通知を出す。
この場合、システム制御部１２１は、パネル操作制御部１１９からのパネル部１０５を介してスタートボタンの押下（タッチ操作）に伴う印刷開始を受け付けたことを示す通知を受け取ると、画像処理部１１８、及びプリンター部１０２に対し、印刷開始を通知する。
ここで、システム制御部１２１は、ステップＳ２０２での印刷データ選択解除や、ステップＳ２０３での印刷設定変更が無ければ、ステップＳ２０１で選択された印刷データに対するデフォルト設定による印刷開始を指示する。
一方、システム制御部１２１は、ステップＳ２０２で印刷データ選択解除を受けた場合、プリンター部１０２に対し、ステップＳ２０１で新たに選択された印刷データに対する処理データに基づく印刷開始を指示する。また、システム制御部１２１は、ステップＳ２０３で印刷設定変更が有れば、プリンター部１０２に対し、ステップＳ２０３で印刷設定変更された印刷データに対する処理データに基づく印刷開始を指示する。
【００３７】
（ステップＳ２０７）
画像処理部１１８は、印刷データに対する画像処理（ラスタライズ）を行う。
この場合、画像処理部１１８は、画像処理（ラスタライズ）した処理データを、ＲＡＭ１１５に記憶させる。
【００３８】
（ステップＳ２０８）
プリンター部１０２は、印刷処理を実行する。
この場合、プリンター部１０２は、画像処理部１１８による画像処理した処理データがＲＡＭ１１５に記憶されるのを待ち、処理データがＲＡＭ１１５に記憶されたことを確認してから処理データに基づき、図示しない用紙に画像を形成する。
【００３９】
以上のように、従来の画像処理では、ステップＳ２０１での印刷データの選択が行われた後、ステップＳ２０４でのスタートボタンの押下（タッチ操作）に伴う印刷開始を受け付けてから、ステップＳ２０７での画像処理部１１８による画像処理が実行される。言い換えれば、スタートボタンの押下（タッチ操作）に伴う印刷開始を受け付けるまでは、画像処理部１１８による印刷データに対する画像処理が行われないため、プリンター部１０２による用紙への画像の形成が待たされることになる。
【００４０】
このように、本実施形態では、ＲＡＭ１１５（記憶デバイス）により、印刷データを記憶し、画像処理部１１８により、印刷データに対して画像処理を行い、プリンター部１０２により、画像処理による処理データに基づき、用紙に画像を形成し、システム制御部１２１により、パネル部１０５を介して印刷データが選択されると、画像処理部１１８に対して選択された印刷データに対する画像処理を指示し、パネル部１０５を介して印刷開始が指示されると、プリンター部１０２に対して画像の形成を指示する。
【００４１】
これにより、パネル部１０５を介して印刷データが選択された時点で画像処理部１１８による印刷データに対する画像処理が実行され、パネル部１０５を介して印刷開始が指示された時点でプリンター部１０２による画像の形成が実行されるので、印刷処理のパフォーマンスをさらに向上させることができる。
【００４２】
なお、パネル制御部１１９は、選択画面の印刷データのリストのうち、いずれかの印刷データが指定された（例えば、リスト上のいずれかの印刷データが反転表示される。）後、指定された印刷データが確定される（例えば、リスト上のいずれかの印刷データを反転表示させた状態で、選択画面の確定キー（例えば、「ＯＫ」キー）が押下される）と、印刷データの選択を受け付けるものとしてもよい。
【００４３】
また、パネル制御部１１９は、印刷データの選択を受け付けた後、選択画面の印刷データのリスト上で指定されている印刷データの指定が外された（例えば、リスト上の指定されている印刷データが反転表示から通常表示に戻される。）後、指定された印刷データが確定される（例えば、リスト上のいずれかの印刷データを反転表示させた状態で、選択画面の確定キー（例えば、「ＯＫ」キー）が押下される）と、印刷データの選択解除を受け付けるものとしてもよい。
【００４４】
また、パネル制御部１１９は、設定画面上のいずれかの設定項目の設定内容が変更された後、変更された設定内容が確定される（例えば、設定画面の確定キー（例えば、「ＯＫ」キー）が押下される）と、印刷設定の変更を受け付けるものとしてもよい。
【００４５】
なお、本実施形態では、画像形成装置としてＭＦＰ１００を例示したが、この例に限らず、多機能プリンター等の他の画像形成装置に適用してもよい。
【符号の説明】
【００４６】
１００  ＭＦＰ
１０１  スキャナー部
１０２  プリンター部
１０３  ＦＡＸ部
１０４  Ｉ／Ｆ
１０５  パネル部
１０６  ＨＤＤ
１１０  制御部
１１１  スキャナー制御部
１１２  プリンター制御部
１１３  ＦＡＸ制御部
１１４  通信制御部
１１５  ＲＡＭ
１１６  ＥＥＰＲＯＭ
１１７  ユーザー認証部
１１８  画像処理部
１１９  パネル操作制御部
１２０  ＨＤＤ制御部
１２１  システム制御部
１２２  データバス
【図１】
2019084729.tif 000003
【図２】
2019084729.tif 000004
【図３】
2019084729.tif 000005